(57)【特許請求の範囲】
【請求項１】
室内空間に設置されたベッドの頭部側と壁との間に配置される頭部側パネルにより構成されるパネル装置であって、
前記頭部側パネルの前面には、前記ベッドの寝床面に対して前記ベッドのヘッドボードの上縁よりも上方の高さ位置にあり、該寝床面の頭側から足元側に向かう空気の気流を生じさせるように空気を吹き出す吹出部と、前記吹出部の上方であって天井付近の空気を吸い込む吸込部と、を備え、
前記頭部側パネルに設けられた前記吸込部と前記吹出部とを連通するダクトが、前記頭部側パネルの裏側と前記壁との間の空間に延設されていることを特徴とするパネル装置。
【請求項２】
前記吹出部の下方にブラウンノイズを発生させるスピーカが設けられることを特徴とする請求項１に記載のパネル装置。
【請求項３】
前記スピーカは、前記ベッドの幅方向の略中央の位置に設けられることを特徴とする請求項２に記載のパネル装置。
【請求項４】
前記パネル装置は、前記頭部側パネルに連設され、室内空間を天井から床に亘って延びるサイドパネルを備え、
前記サイドパネルには、照度調整可能な模擬窓照明が設けられていることを特徴とする請求項１ないし３のいずれかに記載のパネル装置。
【請求項５】
前記頭部側パネルには、前記吹出部の幅方向の両側に照度調整可能な模擬窓照明が設けられていることを特徴とする請求項１ないし３のいずれかに記載のパネル装置。
【発明の詳細な説明】
【技術分野】
【０００１】
本発明は、室内に用いられるパネル装置に関する。
【背景技術】
【０００２】
病院や宿泊施設等における室内に電源コンセントや収納部等を備えたパネル装置を建て付けることにより、機能性を持たせた個室空間を形成している。
【０００３】
特許文献１には、頭部側パネルとサイドパネルとにより複数のベッドが配置された室内に機能性を持たせた個室空間を形成するパネル装置が開示されており、サイドパネルにより隣接する個室空間からの音を遮り、独立性の高い個室空間を形成できるようになっている。
【先行技術文献】
【特許文献】
【０００４】
【特許文献１】特許３７６９５５３号公報（第３頁、第２図）
【発明の概要】
【発明が解決しようとする課題】
【０００５】
しかしながら、特許文献１にあっては、パネル装置によって室内に個室空間が形成されることにより、個室空間の空気が滞留して空調が行き渡らない等により睡眠環境が悪化するという問題がある。そのため、サーキュレータ等を設けて室内の空気を循環させる方法も考えられるが、この場合、室内全体の空気に対流が生じるため、室内に積もった埃等が舞い上がる可能性があり、個室空間の睡眠環境を悪化させる虞があった。
【０００６】
本発明は、このような問題点に着目してなされたもので、質のよい睡眠環境を提供できるパネル装置を提供することを目的とする。
【課題を解決するための手段】
【０００７】
前記課題を解決するために、本発明のパネル装置は、
室内空間に設置されたベッドの頭部側と壁との間に配置される頭部側パネルにより構成されるパネル装置であって、
前記頭部側パネルの前面には、前記ベッドの寝床面に対して前記ベッドのヘッドボードの上縁よりも上方の高さ位置にあり、該寝床面の頭側から足元側に向かう空気の気流を生じさせるように空気を吹き出す吹出部と、前記吹出部の上方であって天井付近の空気を吸い込む吸込部と、を備え、
前記頭部側パネルに設けられた前記吸込部と前記吹出部とを連通するダクトが、前記頭部側パネルの裏側と前記壁との間の空間に延設されていることを特徴としている。
この特徴によれば、室内空間の天井周辺の空気を吸込部から吸い込み、頭部側パネルの裏側に設けられるダクトを通った該空気を吹出部から吹き出させることにより、局所的な空気の流れが寝床面よりも上方で形成されるため、室内に積もった埃等を舞い上げず、ベッドの寝床面上の空気を清浄に保ち、質のよい睡眠環境を提供することができる。
【０００８】
前記通風路は、前記吸込部と前記吹出部とを連通するダクトであることを特徴としている。
この特徴によれば、パネル材の裏側の埃等が吹出部から吹き出す空気に混入しない。
【０００９】
前記吹出部は、前記ベッドのヘッドボードの上縁よりも上方の高さ位置に設けられることを特徴としている。
この特徴によれば、ヘッドボードに邪魔されずにベッドの寝床面の上方に確実に気流を生じさせることができる。
【００１０】
前記吹出部の下方にブラウンノイズを発生させるスピーカが設けられることを特徴としている。
この特徴によれば、通風路の邪魔にならない位置にスピーカを設けられるとともに、区画内の雑音をブラウンノイズにより減少させることができるため、ベッド上の音環境が向上し、質の良い睡眠環境を提供することができる。
【００１１】
前記スピーカは、前記ベッドの幅方向の略中央の位置に設けられることを特徴としている。
この特徴によれば、スピーカがベッドの幅方向の略中央の位置に設けられることにより、寝返り等によりベッドの幅方向の略中央から頭部の位置が相対移動した場合であっても、スピーカと頭部との位置関係が大きく変化しないため、ベッド上の音環境が安定する。
【００１２】
前記パネル装置は、前記頭部側パネルに連設され、室内空間を天井から床に亘って延びるサイドパネルを備え、
前記サイドパネルには、照度調整可能な模擬窓照明が設けられていることを特徴としている。
この特徴によれば、天井から床に亘るサイドパネルに設けられた模擬窓照明により室内の照度を調整できるため、ベッド上の光環境が向上し、質の良い睡眠環境を提供することができる。
【００１３】
前記頭部側パネルには、前記吹出部の幅方向の両側に照度調整可能な模擬窓照明が設けられていることを特徴としている。
この特徴によれば、模擬窓照明が通風路の邪魔をすることがないとともに、ベッドのヘッドボードに遮られることなく模擬窓照明からの光がベッド上に照射されるためベッド上の光環境を向上させることができる。
【図面の簡単な説明】
【００１４】
【図１】実施例におけるパネル装置により仕切られた区画にベッドが配置された状態を示す斜視図である。
【図２】パネル装置により仕切られた区画を示す斜視図である。
【図３】頭部側パネルとベッドとの位置関係を示す正面図である。
【図４】頭部側パネルの背面側の構造を示す斜視図である。
【図５】パネル装置の構造及びパネル装置とベッドとの位置関係を示す部分断面図である。
【図６】パネル装置とベッドとの位置関係を示す上面図である。
【図７】パネル装置の変形例を示す正面図である。
【発明を実施するための形態】
【００１５】
本発明に係るパネル装置を実施するための形態を実施例に基づいて以下に説明する。
【実施例１】
【００１６】
実施例１に係るパネル装置につき、図１から図７を参照して説明する。以下、図３の画面手前側をパネル装置の正面側（前方側）とし、図３の画面奥側をパネル装置の背面側（後方側）とし、図３の画面左右側をパネル装置の左右側として説明する。
【００１７】
本発明のパネル装置１は、病院や宿泊施設等において室内を任意の区画に仕切るために用いられる。尚、本実施例では、パネル装置１を用いて病院の大部屋を複数の区画に仕切って個室空間を形成し、各個室空間には、ベッドが１台ずつ配置されるものとして説明する。
【００１８】
図１に示されるように、パネル装置１は、室内に配置されるベッド１０に対して頭部側に建て付けられる頭部側パネル２と、該頭部側パネル２の正面側に連設されベッド１０の側方に延びるサイドパネル３と、から主に構成されており、サイドパネル３により隣接する区画に仕切られることにより、頭部側パネル２及びサイドパネル３から一部を構成される個室空間Ｒ，Ｒが形成される。
【００１９】
個室空間Ｒは、少なくとも頭部側パネル２と対向する足元側が開放しており、該開放部分には図示しないカーテン等が開閉自在に配設されている。また、サイドパネル３が天井Ｃから床Ｆに亘って建て付けられることにより、隣接する個室空間Ｒ，Ｒ同士の独立性が高められている。
【００２０】
尚、個室空間Ｒにおいて、ベッド１０は、頭側のヘッドボード１０ａが頭部側パネル２の正面側に対向するように配置されるものとする。また、サイドパネル３は、ベッド１０の側方でベッド１０の前後方向の寸法と略同一寸法となるように延びているが、サイドパネル３は、隣接する個室空間Ｒからの音を遮り、個室空間Ｒの独立性を確保できるものであればよい。
【００２１】
図２に示されるように、頭部側パネル２は、天井Ｃに配設される笠木２１と、床Ｆに配設される巾木２２と、笠木２１と巾木２２との間で左右に立設される支柱２３，２３（図４参照）と、該支柱２３，２３間に複数架設される横連結杆２４，２４，２４と、から構成される複数の矩形枠の正面側にパネル材４Ａ，４Ｂ，４Ｃ，４Ｄが上方から順に取り付けられることにより形成されている。
【００２２】
また、頭部側パネル２は、室内の側壁Ｗに対向するように建て付けられ、側壁Ｗとの間に空間Ｘが形成されている（図５参照）。
【００２３】
頭部側パネル２の最上段を構成するパネル材４Ａには、照明４０と、個室空間Ｒの天井Ｃ周辺の空気を吸い込むための吸込口５（吸込部）とが設けられている。
【００２４】
吸込口５は、パネル材４Ａの厚み方向に設けられた複数のパンチング孔から構成されることにより、頭部側パネル２の正面側から吸込口５が目立ち難く、かつ大きな塵や埃等を吸い込み難くなっている。尚、吸込口５のパンチング孔の数や配置、孔径等は、空気を必要な量だけ吸込み可能なものであれば自由に構成されてよい。また、吸込口５は、複数のスリット等から構成されていてもよい。
【００２５】
頭部側パネル２の上方から２段目を構成するパネル材４Ｂには、電源コンセントや医療用ガスの供給部等から構成される医療用コンソール４１と、後述する操作パネル８が設けられている。
【００２６】
頭部側パネル２の上方から３段目を構成するパネル材４Ｃには、前述した吸込口５から吸い込んだ空気を吹き出すための吹出口６（吹出部）が設けられている。
【００２７】
吹出口６は、頭部側パネル２の幅方向（左右方向）に長尺の長方形状に形成されており、開口が大きく取られることにより、空気を水平方向に層状に吹き出すことができる。また、個室空間Ｒ内に向けて緩やかに空気を吹き出すことができ、空気を吹き出す際に生じる音を抑えることができる。
【００２８】
また、吹出口６は、ベッド１０のヘッドボード１０ａの上縁よりも上方の高さ位置に設けられており、吹出口６から吹き出された空気がヘッドボード１０ａに邪魔されずにベッド１０の寝床面Ｓの上方に確実に気流を生じさせることができる（図３，図５参照）。尚、本実施例における上方とは、高さ位置の上下の関係を示しており、鉛直方向の上下の関係に限らず、高さ位置が上であれば、水平方向に位置がずれていてもよい。
【００２９】
尚、本実施例における寝床面Ｓとは、人が横になり就寝姿勢を取ることができる状態のベッド１０上面のことであり、略水平な状態が好ましいが、就寝姿勢を取ることができればリクライニング等を使用して傾斜した状態であってもよい。
【００３０】
図４に示されるように、頭部側パネル２の背面側には、吸込口５と吹出口６とを連通するダクト装置５０（通風路，ダクト）が設けられており、ダクト装置５０は、側面視略コ字状を成し上下に延びてパネル材４Ａの吸込口５に対応する位置と、パネル材４Ｃの吹出口６に対応する位置とでパネル材４Ａ，４Ｃの背面側にそれぞれ接続されている。
【００３１】
ダクト装置５０は、頭部側パネル２の背面側の空間Ｘにおいて吸込口５と吹出口６とを連通する配管５１と、吸込口５の背面側の位置に対応して設けられる電動のファン５２と、から構成されている（図５参照）。
【００３２】
また、ダクト装置５０は、ファン５２が動作することにより、吸込口５から個室空間Ｒ内の天井Ｃ周辺の空気を吸い込み、配管５１内を通して吸い込んだ空気を下方の吹出口６に送り、吹出口６から個室空間Ｒ内に向けて空気を吹き出すことができるようになっている。尚、ファン５２は、吸込口５の位置に対応して設けられることにより、下方のベッド１０側に駆動音が聞こえ難くなっている。
【００３３】
頭部側パネル２の最下段を構成するパネル材４Ｄには、ブラウンノイズを発生させるスピーカ装置７（スピーカ）が設けられている。尚、ブラウンノイズとは、ブラウン運動により生成されるシグナルノイズであり、雑音の減少や集中力の向上等の効果がある。
【００３４】
スピーカ装置７は、パネル材４Ｄの厚み方向に設けられた複数のパンチング孔の背面側の位置に振動子を有する音源７０（図４参照）が設けられることで構成されており、頭部側パネル２の正面側からスピーカ装置７が目立ち難くなっている。尚、スピーカ装置７のパンチング孔の数や配置、孔径、穿設角度等は、音源７０から発せられるブラウンノイズを効率よく個室空間Ｒ内に拡散できるものであれば自由に構成されてよい。また、スピーカ装置７は、パネル材４Ｄに設けられた複数のスリット等の背面側の位置に音源７０が設けられることにより構成されていてもよい。
【００３５】
また、スピーカ装置７は、ベッド１０のヘッドボード１０ａに遮られる高さ位置に対向するように設けられており、スピーカ装置７から発せられたブラウンノイズが一旦ヘッドボード１０ａに当たった後、ヘッドボード１０ａを回り込んでベッド１０の寝床面Ｓの頭側に届くようになっている（図３，図５参照）。さらに、スピーカ装置７は、ベッド１０の寝床面Ｓよりも下方の高さ位置に設けられることにより、寝床面Ｓ上からブラウンノイズの発生位置が特定し難くなっている。尚、本実施例における下方とは、高さ位置の上下の関係を示しており、鉛直方向の上下の関係に限らず、高さ位置が下であれば、水平方向に位置がずれていてもよい。
【００３６】
また、図３に示されるように、頭部側パネル２において、吸込口５及び吹出口６とスピーカ装置７とは、それぞれの頭部側パネル２の幅方向に対する中心を上下に略一直線上に揃えて設けられており、スピーカ装置７が吹出口６よりも下方に配置されることにより、ダクト装置５０の邪魔にならない位置に音源７０を設けることができる。
【００３７】
さらに、吸込口５及び吹出口６とスピーカ装置７とは、個室空間Ｒに設置されるベッド１０の幅方向の略中央の延長線Ａ‐Ａ上に重なるような位置関係となるようにそれぞれ配設されるものとする（図６参照）。
【００３８】
図２に示されるように、サイドパネル３は、頭部側パネル２に連設され、天井Ｃに配設される笠木３１と、床Ｆに配設される巾木３２と、笠木３１と巾木３２との間で左右に立設される図示しない支柱と、該支柱間に複数架設される横連結杆３３，３３，３３と、から構成される複数の矩形枠に模擬窓照明３４及びパネル材４Ｅ，４Ｆ，４Ｇが上方から順に取り付けられることにより形成されている。尚、本実施例におけるパネル材４Ｅ，４Ｆ，４Ｇは、一般的な化粧板であるため説明を省略する。
【００３９】
サイドパネル３の端部には、カバー部材３０が取り付けられており、サイドパネル３を構成する図示しない支柱等の内部構造が露見することを防ぎ、サイドパネル３の美観を高めている。
【００４０】
模擬窓照明３４は、サイドパネル３の最上段に設けられ、図示しないＬＥＤ照明の光を内部で反射させて面発光する導光板３５と、該導光板３５の周縁を囲う枠体３６と、から構成されている。また、模擬窓照明３４は、操作パネル８により照度調整可能となり、面状に発光させることで窓を模擬した照明となっている。
【００４１】
また、サイドパネル３は、天井Ｃから床Ｆに亘って形成されることにより、頭部側パネル２及びサイドパネル３により区画された個室空間Ｒにおいて、少なくともベッド１０の寝床面Ｓ上で就寝姿勢を取った人の頭側への音と光の回り込みを減少させることができる。
【００４２】
次いで、パネル装置１により区画された個室空間Ｒにおける睡眠環境について図５及び図６を用いて説明する。
【００４３】
先ず、操作パネル８は、ダクト装置５０のファン５２の動作操作を行うことにより、個室空間Ｒにおいて適切な空調環境を維持する。
【００４４】
操作パネル８は、ファン５２を常時動作させ、個室空間Ｒ内の天井Ｃ周辺の空気を吸込口５から吸い込み、配管５１を通して該空気を吹出口６から吹き出させることにより、ベッド１０の寝床面Ｓの上方に頭側から足元側に向かう空気の気流を生じさせることができるため（図５参照）、個室空間Ｒに積もった埃等を舞い上げず、ベッド１０の寝床面Ｓ上の空気を清浄に保ち、質のよい睡眠環境を提供することができる。尚、ファン５２は雰囲気やタイムスケジュールに応じて間欠的に動作させられるものであってもよい。
【００４５】
また、吸込口５から吸い込まれた空気が配管５１を通ることにより、空間Ｘに存在する埃等が該空気に混入することなく、吹出口６から吹き出す空気を清浄に保つことができる。
【００４６】
また、個室空間Ｒ内で空気を循環させることができるため、空調効率が良くなり、睡眠環境が向上する。さらに、ベッド１０の寝床面Ｓの上方を通って足元側の開放空間に向かう気流が送り出されるため、個室空間Ｒ内だけでなく、室内全体に空気を循環させることもできる。
【００４７】
また、ベッド１０の寝床面Ｓの上方で頭側から足元側に向かう気流が生じることにより、寝床面Ｓ上で就寝姿勢を取った人の温度環境及び湿度環境が改善され、睡眠効率が高まる。
【００４８】
さらに、図３に示されるように、吹出口６がベッド１０の幅方向の略中央の延長線Ａ‐Ａ上に配置されることにより、気流による温度環境及び湿度環境への影響がベッド１０の寝床面Ｓを中心とする狭い範囲に抑えられるため、ファン５２を動作操作して個人で嗜好の異なる温度環境及び湿度環境に合わせて気流を調整することができる。
【００４９】
次に、操作パネル８は、スピーカ装置７における音源７０の動作操作を行うことにより、個室空間Ｒにおいて適切な音環境を維持するための操作を行う。
【００５０】
個室空間Ｒでは、廊下から漏れ伝わる会話や、人や台車等の移動により、常時ある程度の雑音が存在しており、個室空間Ｒ内のこれらの雑音をスピーカ装置７から発生させたブラウンノイズにより減少させることができるため、ベッド１０上の音環境が向上し、質の良い睡眠環境を提供することができる。雑音の騒音レベルに応じて、ブラウンノイズの音量は適宜調整されることが好ましい。
【００５１】
また、図６に示されるように、ベッド１０の幅方向の略中央の延長線Ａ−Ａ上にスピーカ装置７が配設されることにより、寝返り等によりベッド１０の寝床面Ｓ上で就寝姿勢を取った人の中心軸と延長線Ａ−Ａとが相対移動した場合であっても、スピーカ装置７と頭部との位置関係が大きく変化しないため、ベッド１０上の音環境が安定する。
【００５２】
また、スピーカ装置７は、吹出口６から気流が吹き出す際に生じる雑音やダクト装置５０のファン５２の雑音をブラウンノイズにより減少できる。さらに、前述したように吹出口６とスピーカ装置７は、頭部側パネル２において略一直線上に配置され、吹出口６の下方にスピーカ装置７が設けられているため、吹出口６から気流が吹き出す際に生じる雑音やダクト装置５０のファン５２の雑音をブラウンノイズにより効果的に減少できる。
【００５３】
次に、操作パネル８は、模擬窓照明３４の動作操作を行うことにより、個室空間Ｒにおいて適切な光環境を維持するための操作を行う。
【００５４】
部屋の窓に面していない個室空間Ｒでは、外光（自然光）の採光が十分に行われないため、睡眠に大きく関係するサーカディアン・リズムが乱れて睡眠環境の質が低下する。
【００５５】
操作パネル８は、模擬窓照明３４の点灯、消灯、調光のスケジュールをタイマーにより操作し、個室空間Ｒ内の照度を自然環境における外光による光暴露と略同一の状態となるように調整することにより、個室空間Ｒにおけるベッド１０上の光環境が向上し、質の良い睡眠環境を提供することができる。また、模擬窓照明３４は、面状の発光をするため外光による光暴露と略同一の状態となるように調整することが簡単である。
【００５６】
また、天井Ｃから床Ｆに亘って建て付けられるサイドパネル３により模擬窓照明３４の建物の窓の方向への設置を容易にし、個室空間Ｒの光環境を模擬窓照明３４による照度調整により、個室空間Ｒの光環境に対する外部要因の影響を小さくし、安定させることができるため、一定のサーカディアン・リズムを作ることができ、睡眠環境が向上する。
【００５７】
さらに、サイドパネル３が天井Ｃから床Ｆに亘って建て付けられることにより、個室空間Ｒにおける空調環境と音環境に対しても外部要因の影響が小さくなり、それぞれ調整を行いやすくなるとともに、隣接する個室空間Ｒに対する影響も小さくなるため個人の嗜好に合わせた操作を行うことができる。
【００５８】
また、模擬窓照明３４をサイドパネル３に設けることにより、ベッド１０のヘッドボード１０ａ等に遮られることなく寝床面Ｓ上で就寝姿勢を取った人の頭側に光を照射できるとともに、模擬窓照明３４を上方に設けることにより、個室空間Ｒ内の照度調整を効率よく行うことができる。
【００５９】
このように、パネル装置１は、個室空間Ｒにおいて、空調環境、音環境、光環境を適切に調整するように各種装置が操作されることにより、ベッド１０上の睡眠環境が相乗的に改善される。また、個室空間Ｒ毎に空調環境、音環境、光環境を調整することにより個人の嗜好に合わせて快適な睡眠環境を提供できる。
【００６０】
次いで、パネル装置１の変形例について図７を用いて説明する。尚、前述したパネル装置１に示される構成部分と同一構成部分については同一符号を付して重複する説明を省略する。
【００６１】
図７に示されるように、変形例としてのパネル装置１００は、室内に建て付けられる頭部側パネル２００のみで構成されている。頭部側パネル２００の最上段は、幅方向に三分割された矩形枠が形成されており、中央には、吸込口５が設けられたパネル材４００Ａが取り付けられ、該パネル材４００Ａの左右両側には、模擬窓照明３４０，３４０がそれぞれ取り付けられている。模擬窓照明３４０，３４０は、図示しないＬＥＤ照明の光を内部で反射させて面発光する導光板３５０，３５０を備えており、操作パネル８により照度調整可能に操作される。
【００６２】
頭部側パネル２００の最上段に設けられる模擬窓照明３４０，３４０は、ベッド１０の両側端よりも外側の位置で上方に配置されているため、ベッド１０のヘッドボード１０ａ等に遮られることなく寝床面Ｓ上で就寝姿勢を取った人の頭側に光を照射でき、個室内の照度調整を効率よく行うことができる。
【００６３】
また、パネル材４００Ａの左右両側に模擬窓照明３４０，３４０が設けられているため、頭部側パネル２００の背面側の中央に設けられるダクト装置５０の配置を妨げることがない。尚、模擬窓照明３４０，３４０が発する熱により頭部側パネル２００の背面側に形成される空間Ｘ内の温度が上昇してもダクト装置５０内は遮熱された状態となるため、ダクト装置５０内の空気は模擬窓照明３４０，３４０の光源や駆動回路が発する熱による影響を受け難くなっている。
【００６４】
これによれば、頭部側パネル２００のみのコンパクトな構成で室内の空調環境、音環境、光環境をそれぞれ操作して質の良い睡眠環境を提供することができる。
【００６５】
以上、本発明の実施例を図面により説明してきたが、具体的な構成はこれら実施例に限られるものではなく、本発明の要旨を逸脱しない範囲における変更や追加があっても本発明に含まれる。
【００６６】
例えば、前記実施例では、頭部側パネル２は、部屋の側壁Ｗの正面に設けられる態様として説明したが、これに限らず、頭部側パネルは、部屋の中央を仕切るものであってもよく、この場合には、頭部側パネルの前後両面にパネル材がそれぞれ取付けられてもよい。
【００６７】
また、前記実施例では、頭部側パネル２は、パネル材４Ａ，４Ｂ，４Ｃ，４Ｄから壁面を構成される態様として説明したが、これに限らず、頭部側パネルは、少なくとも吸込口及び吹出口とスピーカ装置とを備えるものであれば、１枚のパネルから構成されていてもよい。
【００６８】
また、前記実施例では、ダクト装置５０のファン５２は、吸込口５の背面側の位置に対応して設けられる態様として説明したが、これに限られず、ダクト装置のファンの取り付け位置は、吸込口から空気を吸い込み、配管を通して吹出口から空気を吹き出すことができる構成であればよい。また、空気の吸い込みと吹き出しに対応するファンをそれぞれ個別に設けてもよい。
【００６９】
また、前記実施例では、吸込口５及び吹出口６とスピーカ装置７とは、それぞれの頭部側パネル２の幅方向に対する中心を上下に略一直線上に揃えて設けられる態様として説明したが、これに限らず、少なくとも吸込口は、個室空間の天井周辺の空気を適切に吸い込むことができるものであれば、吹出口及びスピーカ装置と上下に略一直線上に揃えて配置されなくてもよい。
【００７０】
また、前記実施例では、模擬窓照明３４は、ＬＥＤ光源を導光板３５により拡散させた人工拡散光の照度調整を行う態様として説明したが、これに限らず、模擬窓照明は、自然光を導光して照度調整可能にしてもよいし、人工拡散光と自然光を組み合わせて照度調整を行うものであってもよい。
【００７１】
また、前記実施例では、吸込口５とスピーカ装置７を構成するパンチング孔がファン５２や音源７０と略同一寸法に構成されているが、吸込口とスピーカ装置を構成するパンチング孔の形成範囲に幅を持たせることにより、ベッドの位置に合わせてファンや音源の配置を適宜変更できるようにしてもよい。
【００７２】
また、吹出口６からの空気の吹き出し方向を変更可能にすることにより、ベッド１０の寝床面Ｓの上方で気流の風向きを調整できるようにしてもよい。
【符号の説明】
【００７３】
１                パネル装置
２                頭部側パネル
３                サイドパネル
４Ａ〜Ｇ          パネル材
５                吸込口（吸込部）
６                吹出口（吹出部）
７                スピーカ装置（スピーカ）
８                操作パネル
１０              ベッド
１０ａ            ヘッドボード
３４              模擬窓照明
３５              導光板
３６              枠体
５０              ダクト装置（通風路，ダクト）
５１              配管
５２              ファン
７０              音源
Ｒ                個室空間
Ｓ                寝床面
【図１】
0006723825.tif 000002
【図２】
0006723825.tif 000003
【図３】
0006723825.tif 000004
【図４】
0006723825.tif 000005
【図５】
0006723825.tif 000006
【図６】
0006723825.tif 000007
【図７】
0006723825.tif 000008